Podtech/llm-jp-corpus-v4-ja_patent huggingface dataset:
(57)【要約】【課題】切断作業を容易に行なう。【解決手段】平行な２枚の板１ａ、１ｂを有する本体１に押え２を固定し、本体１にトグルクランプ５の回動体３を回動可能に取り付け、本体１にトグルクランプ５のレバー４を回動可能に取り付け、本体１にピン１６を介して回動可能にサポート６を取り付け、サポート６にピン８を介して回動可能にリンク７を取り付け、ガススプリング９の両端をそれぞれピン１０、１１を介して本体１、リンク７の一方端部に回動可能に取り付け、リンク７の他方端部に保持部１２を固定し、保持部１２にブレード１４を有するグラインダ１３を取り付ける。【選択図】        図１
2004351562.tif 000002
【特許請求の範囲】
【請求項１】
本体と、上記本体を被切断物に保持するための保持手段と、上記本体に設けられかつガススプリングが伸長したとき保持部を上記被切断物の方向に移動するリンク手段と、上記保持部に取り付けられたグラインダとを具備したことを特徴とする切断器。
【発明の詳細な説明】
【０００１】
【発明の属する技術分野】
本発明は流動層ボイラの伝熱管等の被切断物を切断するための切断器に関するものである。
【０００２】
【従来の技術】
【特許文献１】特開昭５２−１４９９０号公報。
【０００３】
従来、流動層ボイラの伝熱管を切断するときには、作業者がグラインダを使用して伝熱管を切断している。
【０００４】
なお、この種の従来技術について記載されている文献としては、特許文献１を挙げることができる。
【０００５】
【発明が解決しようとする課題】
しかし、作業者がグラインダを使用して伝熱管を下方から切断するときには、グラインダの重量を支えながら、グラインダを上方に移動しなければならないから、切断作業を容易に行なうことができない。
【０００６】
本発明は上述の課題を解決するためになされたもので、切断作業を容易に行なうことができる切断器を提供することを目的とする。
【０００７】
【課題を解決するための手段】
この目的を達成するため、本発明においては、本体と、上記本体を被切断物に保持するための保持手段と、上記本体に設けられかつガススプリングが伸長したとき保持部を上記被切断物の方向に移動するリンク手段と、上記保持部に取り付けられたグラインダとを設ける。
【０００８】
【発明の実施の形態】
図１は本発明に係る切断器を示す正面図、図２は図１のＡ−Ａ断面図、図３は図１に示した切断器のグラインダを取り外した状態を示す側面図、図４は図１のＢ−Ｂ断面図である。図に示すように、平行な２枚の板１ａ、１ｂを有する本体１に押え２が固定され、本体１に回動体３が回動可能に取り付けられ、本体１にレバー４が回動可能に取り付けられ、押え２、回動体３、レバー４等によりトグルクランプ５が構成されている。また、本体１にピン１６を介して回動可能にサポート６が取り付けられ、サポート６にピン８を介して回動可能にリンク７が取り付けられ、圧力が０．４〜０．６ＭＰａの圧縮窒素ガスが封入されたガススプリング９の両端がそれぞれピン１０、１１を介して本体１、リンク７の一方端部に回動可能に取り付けられ、リンク７とガススプリング９とはほぼ平行である。なお、ピン８、１０、１１、１６の中心線は回動体３、レバー４の回動中心線と平行である。また、リンク７の他方端部に保持部１２が固定され、本体１、サポート６、リンク７等によりガススプリング９が伸長したとき保持部１２を流動層ボイラの伝熱管１５に切断器が保持された状態で伝熱管１５の方向に移動するリンク手段（ガススプリング９が伸長したとき保持部１２をトグルクランプ５の押え２および回動体３の押え２と対向する部分からなる取付部の方向に移動するリンク手段）が構成されている。また、保持部１２にブレード１４を有するグラインダ１３が取り付けられている。
【０００９】
この切断器においては、図５に示すようにトグルクランプ５の押え２、回動体３を開いて、押え２と回動体３との間に伝熱管１５を位置させたのち、レバー４を図５紙面時計方向に回動すると、押え２、回動体３が閉じた状態となり、図２に示すように伝熱管１５が押え２と回動体３との間に挟まれて、切断器が伝熱管１５に保持される。このとき、ピン８、１０、１１、１６の中心線は伝熱管１５の中心線と平行である。この状態で、作業員がグラインダ１３を保持してグラインダ１３を図４に示す位置に移動し、つぎにエアを導入してグラインダ１３を作動すると、ブレード１４が回転する。つぎに、作業員がグラインダ１３を保持してグラインダ１３の水平方向位置（図４紙面左右方向位置）を調整しながらグラインダ１３を上方に導くと、ガススプリング９が伸長して、グラインダ１３が上方（図１、図４紙面上方）に移動するから、グラインダ１３のブレード１４により伝熱管１５が切断される。
【００１０】
このような切断器においては、グラインダ１３により伝熱管１５を下方から切断するときに、グラインダ１３がガススプリング９の力によって上方に移動するから、作業者がグラインダ１３の重量を支える必要がないので、切断作業を容易に行なうことができる。また、ブレード１４を伝熱管１５の中心線に対して直角方向に移動することができるから、伝熱管１５を伝熱管１５の中心線に対して直角に切断することができる。また、他の伝熱管が伝熱管１５に隣接して設けられていたとしても、隣接した伝熱管を傷つけることがない。
【００１１】
なお、上述実施の形態においては、本体１を伝熱管１５に保持するための保持手段としてトグルクランプ５を用いたが、本体を被切断物に保持するための他の保持手段を用いてもよい。また、上述実施の形態においては、サポート６、リンク７等によりリンク手段を構成したが、ガススプリングが伸長したとき保持部を被切断物の方向に移動する他のリンク手段（ガススプリングが伸長したとき保持部を保持手段の取付部の方向に移動する他のリンク手段）を用いてもよい。
【００１２】
【発明の効果】
本発明に係る切断器においては、グラインダがガススプリングの力によって被切断物の方向に移動するから、切断作業を容易に行なうことができる。
【図面の簡単な説明】
【図１】本発明に係る切断器を示す正面図である。
【図２】図１のＡ−Ａ断面図である。
【図３】図１に示した切断器のグラインダを取り外した状態を示す側面図である。
【図４】図１のＢ−Ｂ断面図である。
【図５】図１〜図４に示した切断器の動作説明図である。
【符号の説明】
１…本体
５…トグルクランプ
６…サポート
７…リンク
９…ガススプリング
１２…保持部
１３…グラインダ
【図１】
2004351562.tif 000003
【図２】
2004351562.tif 000004
【図３】
2004351562.tif 000005
【図４】
2004351562.tif 000006
【図５】
2004351562.tif 000007
(57)【要約】【課題】正しい、アドレスがとれ、ホールに対して、ラインのイメージが簡単に作れ、芯を外さず、ストロークできる、ゴルフパター。【解決手段】フェイス後方に２個のゴルフボール（１，２）を同じ幅（４）と、同じ高さ（５）に装着する、プレー用のゴルフボール（３）と同じ幅、同じ高さが得られる、さらに装着したゴルフボールが簡単に、交換できるようビス（６）留めにする、ライン入りボール（７）、又はメーカーロゴ入りボールを選択できるようにし、カップに対してのアドレスチェツクが簡単にできるようにした。【選択図】        図１
2004351177.tif 000002
【特許請求の範囲】
【請求項１】
市販のゴルフボールを、半分にカットし、２個（１，２）を、プレー用のゴルフボール（３）と同じ幅（４）に、フェイス後部のクラウン部へ平行に装着した、ゴルフパター。
【請求項２】
装着したゴルフボール（１，２）が、アドレス時、グリーン上へ、パターをソウルした時に、プレー用のゴルフボール（３）と同じ高さ（５）になるゴルフパター。
【請求項３】
装着したゴルフボールにホール方向へのライン（７）を入れたゴルフパター。
【請求項４】
装着したゴルフボールをビス（６）により、簡単に交換できる構造のゴルフパター。
【発明の詳細な説明】
【０００１】
【発明の属する技術分野】
この発明はカップに対してラインが簡単にイメージできて、又上下の打点のばらつきが無く、合わせて正しいアドレスが自然に作れるゴルフパターに関するものである。
【０００２】
【従来の技術】
ゴルフボールと同じサイズの２つの円形模様（アライメント・ディスク）を、パターのクラウン部に設置。これにより、ターゲットに対してスクエアであることが確認でき、インパクト後のボールがどのようなラインで転がるか、よく見えるようになります。（非特許文献１参照。）。
【非特許文献１】「キャロウェイゴルフ  オデッセイ  パターカタログ２００３」、キャロウェイゴルフ株式会社、２００３年、ｐ．７」
【０００３】
【発明が解決しようとする課題】
【０００４】
従来のパターでは、上下の打点のばらつきが多かった。
【０００５】
従来のパターでは、正しいアドレスが、作りにくかった。
【０００６】
従来のパターでは、カップに対してのラインがイメージしにくかった。
【０００７】
【課題を解決するための手段】
上記目的を達成するために、本発明は、フェイス真後ろの、クラウン部に２個（１，２）のゴルフボールを、プレー用のゴルフボール（３）と、同じ幅、同じ高さに装着した、又装着したゴルフボールが簡単に交換できるようにビス留めにした、さらに装着したゴルフボールにホール方向へのライン（７）を入れた。
【０００８】
従来の技術では、上下の打点のばらつき多かった。本発明は、プレー用のボールと、パターに装着したゴルフボールが、アドレス時に目標ラインに、同じ幅（４）同じ高さ（５）に並ぶ構造になる、ゴルフパターである。
【０００９】
そして、装着したゴルフボールにより、目の真下にアドレスが作れる。
【００１０】
又、装着したゴルフボールに、カップ方向にラインを入れる。
【００１１】
さらに、装着したゴルフボールが、簡単に交換できる構造とした。
【００１２】
【発明の実施の形態】
アドレス時、ホールへのラインがイメージしやすく、そしてストレート、フック、スライスラインもイメージしやすい。又、上下のぶれも無くなり、芯で正確にヒットすることができる。
【００１３】
【実施例】
（イ）  請求項１のゴルフボール２個（１，２）は、フェイスの真後ろに、プレー用のゴルフボール（３）と同じ幅（４）に装着した。
（ロ）  請求項２は、プレー用のゴルフボール（３）と同じ高さ（５）になるように装着した。
（ハ）  請求項３は、パターに装着したゴルフボールに、フェイスに対して直角なライン（７）を真上に入れた。
（ニ）  請求項４は、ゴルフボール（１，２）を簡単に交換できるように、ビス（６）留めにした。
【００１４】
【発明の効果】
請求項１の効果は、ヒットするプレー用のボールと、パター上のボールが同じ大きさでカップに対して平行に並ぶので、カップへのラインが今までのパター以上に、イメージできる。
【００１５】
請求項２の効果は、プレー用のヒットするボールと、同じ高さでアドレスができるので、上下の打点のぶれが無くなる。今までのパターでは、プロは芯で打てるが、ビギナーでは、上下のぶれが多かった。同じ高さにセットできるので、上下のぶれがでない効果がある。
【００１６】
請求項３の効果は、装着したパター上のボールラインと同じように、プレー用のヒットするボールにも、同じラインを入れたボールを使用すると、ホールへのラインが線で見える。又ボールを、真上から見えるので、正しいアドレスができる。斜めから見るとラインは山なりになる。
【００１７】
請求項４の効果は、プレーヤーが使用するボールと同じボールを装着することで、メーカーロゴ等ボールに書いてある文字をライン代りに使える、プレーヤーはプロアマ問わず、ラインを入れるか、ボールのロゴを、アドレス時にセットする。ボールを交換できる事でプレーヤーが、使用するメーカーボールにそれぞれ対応できる。
【００１８】
【図面の簡単な説明】
【図１】パターヘッド上面図
【図２】パターヘッド側面図
【図３】パターヘッド前面図
【図４】パターヘッド後面図
【図５】パターヘッド底面図
【図６】装着ボール、ライン入り図
【符号の説明】
１  前に装着したゴルフボール
２  後ろに装着したゴルフボール
３  プレー用のゴルフボール
４  ゴルフボールの幅
５  ゴルフボールの高さ
６  ゴルフボール装着ビス
７  装着したライン入りゴルフボール
８  ラインを入れた、プレー用のゴルフボール
【図１】
2004351177.tif 000003
【図２】
2004351177.tif 000004
【図３】
2004351177.tif 000005
【図４】
2004351177.tif 000006
【図５】
2004351177.tif 000007
【図６】
2004351177.tif 000008
(57)【要約】｛課題｝  学習机の足元を暖かくして、頭寒足熱の理想的な状態で勉強することが出来る、炬燵式の学習机を提供する。｛解決の手段｝  学習机（１）の脚部の前面上部に開口部（２）を設け、残る周囲（３）（４）（５）（６）を箱ふうに囲い、テーブル（８）の内側には炬燵ヒーター（７）を取り付けることを特徴とする。【選択図】  図１
2004351178.tif 000002
【特許請求の範囲】
【請求項１】
学習机（１）のテーブル（８）の下、前面の上部に開口部（２）を設け、前血下部（３）、後面（４）、側面（５、６）の四面を板などで箱ふうに囲い、内側には電気炬燵用ヒーター（７）を取りつけた、炬燵式の学習机。
【発明の詳細な説明】
【０００１】
｛発明の属する技術分野｝
この発明は、学習机の足元を温かくする炬燵式の学習机に関する。
【０００２】
｛従来の技術｝
従来、冬の勉強には勉強部屋全体を温めるか、足元にあんかを置くか、ズボン式のあんかに足を入れて勉強していた。
【０００３】
｛発明が解決しようとする課題｝
そのため、次のような問題点があった。
イ、部屋全体を温めると頭も温かくなって眠くなる。
ロ、アンカは足先だけの保温なので物足りない。
ハ、ズボン式のアンカは、体が自由にならない。
本発明は以上の問題点を解決するためなされたものである。
【０００４】
｛課題を解決するための手段｝
学習机（１）のテーブル下の脚部は、前面の上部だけに開口部分（２）を設ける。残る四方の、前面下部（３）、後面（４）、側面（５、６）すべてを板などで囲う。脚部の内側には、電気炬燵用ヒーター（７）を取りつけ電源を通す。
本発明は以上の構成よりなる炬燵式の学習机である。
【０００５】
｛発明の実施の形態｝
以下、本発明の実施の形態を説明する。
イ、学習机（１）の脚部の前面上部には、足入れ用の開口部分（２）を設ける。
ロ、残る周囲の、前面下部（３）、後面（４）側面（５、６）すべてを板などで箱ふうに囲う。側面に収納用引き出しがある場合は、引き出し側を除いた三面を囲う。
ハ、テーブル（８）の内側天井面、或いは後面（４）の内側には、電気炬燵用のヒーター（７）を取りつけ電源を通す。
ニ、開口部分（２）には、必要に応じて厚手の布やキルテイング地、または綿入り布などを保温用布（１０）として、カーテン金具やマジックテープでつり下げても良い。
ホ、前面下部（３）の囲い板の高さ（Ａ）は、付属の椅子（９）の座部までの高さ（Ｂ）より低めにする。
ヘ、箱ふう脚部を除く全体の形は全く自由である。例えば従来の学習机のように、テーブル（８）の上部に本棚や照明の設置、またはテーブル下や側面に収納用引き出しの有無や、付属させる椅子の形なども全く自由である。
ト、脚部の囲い部分（３）（４）（５）（６）は、板など堅い材質ではなく布地でも良い。その場合は、カーテン風につり下げるなり、マジックテープでつり下げるなりで、囲い布の取り外しを自由にしても良い。
チ、囲い部分が夏は空気を通さず邪魔になることもある。囲い部分が板など堅い材質の場合は、脚部に溝を設けて囲い板の差し込みを自由にしたり、或いはネジその他で囲い板の着脱を自由にしてもよい。または囲い板の面に簡単な引き違い戸をつけたり、開き戸をつけても良い。
リ、炬燵内の過熱が不安な場合は、断熱材などを内部に張っても良い。
ヌ、なおこのアイデアは、主婦の作業机や鏡台その他、足を入れて使用出来るすべての家具に応用出来る。
本発明は以上の構成よりなっている。
本発明を使用するときは、炬燵ヒーターに電源を入れ、学習机に付属の椅子に座って開口部（２）に足を入れて勉強する。
脚部の囲い板（３）（４）（５）（６）によって脚部内の炬燵ヒーター熱を閉じ込め、足全体を温かく包む。開口部分（２）に布などをカーテンふうにつり下げた場合は、炬燵内の熱をほとんど閉じ込め経済的である。
【０００６】
｛発明の効果｝
本発明を使用することによって、寒い冬の勉強でも足元が温かく気持ち良く勉強が出来る。頭寒足熱となり、勉強するには理想的な状態となる。ルームエアコンより諸費用が安く、電気ストーブのような火災の不安はなく、石油ストーブのような酸素欠乏の心配もないので、家族も安心である。
【図面の簡単な説明】
【図１】本発明の学習机斜視図と、付属の椅子側面図
【図２】本発明の脚部内側の平面図
【図３】本発明正面図
【図４】本発明の使用状態を示す側面図
１、学習机
２、開口部分
３、前面下部
４、後面
５、６、側面
７、電気炬燵用ヒーター
８、テーブル
９、付属の椅子
１０、囲い布
Ａ，前面囲い板の高さ
Ｂ、付属椅子の座部までの高さ
イ、ロ、ハ、ニ、は脚部
【図１】
2004351178.tif 000003
【図２】
2004351178.tif 000004
【図３】
2004351178.tif 000005
【図４】
2004351178.tif 000006
(57)【要約】【課題】従来技術による洗濯挟みは、洗濯挟み同士が引っ掛かったり絡み易く、洗濯物を干す時にイライラしたり壊したりすることを誰もが経験するところである。このような欠点を解決することが目的である。【解決の手段】２つのアーム（４．４）を抱き合わせてバネ（５）で組み立てる。アームの端に穴（２．２）及びピン（３．３）を設ける。二股に分かれた紐（１）の端に穴を設けこの穴を、アームの端に設けた穴（２．２）を通しピン（３．３）に引っ掛ける。２つのアーム（４．４）の端を紐（１）で繋ぐことにより円が形成され洗濯挟み同士が絡まなくなる。【選択図】  図１
2004351179.tif 000002
【特許請求の範囲】
【請求項１】
アームの端付近を紐などを使用して繋いだ洗濯挟み。
【請求項２】
アームの端付近をバネなどを使用して繋いだ請求項１に関わる洗濯挟み。
【発明の詳細な説明】
【０００１】
【産業上の利用分野】本発明の洗濯挟みは洗濯した小物などを干す時に使用するもので、単品として使用したり、枠などに数個から数十個取付け洗濯干し具として使用するものである。
【０００２】
【従来の技術】図５は従来の技術を示す図面である。２つのアーム（４．４）を抱き合わせバネ（５）で組み立てている。バネ（５）には物干し竿や洗濯干し具に取付けるための紐（１２）が取付けられている。構造的に見ると紐（１２）とアーム（４．４）の間にはＶ字型の谷間があり、またバネ（５）の外側には２本のアーム（４．４）が突き出ている構造になっている。このことが原因で洗濯挟み同士が絡み合うトラブルが発生している。
【０００３】
【発明が解決しようとする課題】従来技術における洗濯挟みは、洗濯挟み同士が絡み易かった。２つ折れになる洗濯干し具をひろげる時や、特に枠に幾つもの洗濯挟みが取付けられた洗濯干し具においてはアームの端の部分が絡み合い、重ねて置いた干し具同士が離れず使用するたびにイライラしたり、むりやり離そうとして洗濯挟みを引き千切ったりすることもたびたび経験することであった。本発明はこのような欠点を解決するために発明されたものである。
【０００４】
【課題を解決するための手段】２つのアーム（４．４）を抱き合わせバネ（５）で組み立てる。アーム（４．４）の端に穴（２．２）及びピン（３．３）を設ける。紐（１）の端に穴を設け、この穴をアーム（４．４）の穴（２．２）を通しピン（３．３）に取付ける。２つのアームの端を紐で繋ぐことによりアームと紐により円が形成され洗濯挟み同士は絡み合うことはない。
【０００５】
【第一実施例】図１は第一実施例を示す断面図である。２つのアーム（４．４）を抱き合わせバネ（５）で組み立てる。２つのアーム（４．４）は支点を中心に動くことが出来る。２つのアーム（４．４）の端に穴（２．２）及びピン（３．３）を設ける。紐（１）の端に設けた穴を、アームの穴（２．２）を通しピン（３．３）に取付ける。紐（１）は二股になっているので２つのアームは一っ本の紐で結ばれた構造になっている。このため洗濯挟み同士が絡み合うことはない。又ピン（３．３）を設けずに紐（１）の端に設けた穴を、アームの穴（２．２）を通しバネ（５）に通す方法もある。
【０００６】
【第二実施例】図２は第二実施例を示す断面図である。２つのアーム（４．４）の端に溝（６．６）を設ける。この溝に紐（１）の端に設けた２つのこぶしの間を引っ掛ける。その他の構造は第一実施例と同じである。製造、組立をより一層簡単にしたものである。
【０００７】
【第三実施例】図３は第三実施例を示す断面図である。２つのアーム（４．４）を抱き合わせ支点の中心に穴を設けピン（１０）を取付ける。ピン（１０）は両端をかしめて抜けないようにする。２つのアーム（４．４）の端に溝（８．８）と穴（９．９）を設ける。この溝と穴を利用してバネ（７）を取付ける、バネの力は２つのアームを外側に広げる方向に働いている。バネ（７）とアーム（４．４）は菱形を成すような形で取付けられている、このため洗濯挟み同士で絡み合うことはない。
【０００８】
【第四実施例】図４は第四実施例を示す断面図である。２つのアーム（４．４）を抱き合わせ支点の中心に穴（１１）を設ける。この穴にバネ（７）の一端を通しアーム（４．４）が支点を中心として動くようにする。さらにこのバネ（７）をアーム（４．４）の端に設けた溝（８．８）を通し穴（９）に止める。アーム（４．４）とバネ（７）により菱形が作られているので洗濯挟み同士は引っ掛かることはない。又バネ（７）は支点を支えるピンと一体に出来ているので製造、組立が簡単である。
【０００９】
【効果】本発明による洗濯挟みはアームの端とアームの端を紐やバネ等を利用して繋いでいる。このため従来のような洗濯挟み同士が引っ掛かったり、絡み合ったりという欠点を解決することが出来た。毎日の家事が楽しくスムーズに行えるようになった。
【図面の簡単な説明】
【図１】発明の第一実施例を示す断面図である。
【図２】発明の第二実施例を示す断面図である。
【図３】発明の第三実施例を示す断面図である。
【図４】発明の第四実施例を示す断面図である。
【図５】従来の技術を示す図面である。
【符号の説明】
１．１２．紐                          ２．９．１１．穴
３．１０．ピン                        ４．アーム
５．７．バネ                          ６．８．溝
【図１】
2004351179.tif 000003
【図２】
2004351179.tif 000004
【図３】
2004351179.tif 000005
【図４】
2004351179.tif 000006
【図５】
2004351179.tif 000007
(57)【要約】【課題】この発明は、ゲーム端末（３）におけるゲームキャラクターをカメラ付携帯電話の画像を用いて設定する装置に関するものである。【解決手段】カメラ付携帯電話（２）の画像をインターネット経由でゲーム用に設定した画像変換サーバー（１）に送信可能にし、送信された画像データをプレイヤー毎に格納し、それらを画像のフォーマット、色数、画像の容量、縦・横のサイズ、データの縦横座標における任意の場所での色など、画像情報を画像毎に数字化、その情報をプレイヤーがゲームで使用するキャラクターの設定に利用する。【選択図】  図１
2004351180.tif 000002
【特許請求の範囲】
【請求項１】
イ）ゲーム用に設定した画像変換サーバー（１）で、プレイヤーがカメラ付携帯電話（２）で撮影した画像を電子メール経由で受信可能にする。
ロ）画像変換サーバー（１）で受信された画像データを送信したプレイヤー毎に複数格納する。
ハ）ロ）で格納した画像データのフォーマット、色数、画像の容量、縦・横のサイズ、データの縦横座標における任意の場所での色など、画像情報を画像毎に数字化する。
ニ）ハ）の数字化したデータをプレイヤーのキャラクター情報として保存する。
ホ）ニ）で保存した情報をプレイヤーがゲームで使用するキャラクターの設定に利用する。
以上の如く構成された、カメラ付携帯電話をつかったゲームキャラクター設定装置
【発明の詳細な説明】
【０００１】
【発明の属する技術分野】
この発明は、Ｉ−ｍｏｄｅやＥＺウェブ、Ｊスカイウェブなどのインターネット接続が可能な携帯電話やプレイステーション、Ｘ−ＢＯＸ、ゲームキューブ、ゲームボーイなど家庭用ゲーム機、パソコン、ＰＤＡにおけるゲームで、プレイヤーが利用するキャラクターの設定に、カメラ付携帯電話で撮影した画像をインターネット経由で利用する装置に関するものである。
【０００２】
【従来の技術】
従来、インターネット接続が可能な携帯電話や家庭用ゲーム機、パソコン、ＰＤＡにおいて、ロールプレイングゲームや育成ゲーム、対戦ゲームなどのプレイヤーがキャラクターを操作して遊ぶゲームの場合は、初期状態からキャラクターの外見や能力が標準設定されている。もしくは、入力装置を利用してキャラクターの名前や性別、外見などをプレイヤーが任意に設定していた。また、上記のキャラクター設定に、音楽用ＣＤや映像用ＤＶＤなどの記憶媒体から読み取った情報を活用するものが出てきたが、カメラ付携帯電話の画像と連動させるものはなかった。
【０００３】
【発明が解決しようとする課題】
したがって、多種多様になっているロールプレイングゲームや育成ゲーム、対戦ゲームに、現在急速に普及しているカメラ付携帯電話の画像を通信経由で設定する装置を組み合わせることにより、ゲームの面白さを今以上に高め、より多くのプレイヤーをゲームに参加しやすくするために発明された。
【０００４】
【課題を解決するための手段】
いま、その構成を説明すると、
イ）ゲーム用に設定した画像変換サーバー（１）で、プレイヤーがカメラ付携帯電話（２）で撮影した画像をインターネット経由で受信可能にする。
ロ）画像変換サーバー（１）で受信された画像データを送信したプレイヤー毎に複数格納する。
ハ）ロ）で格納した画像データのフォーマット、色数、画像の容量、縦・横のサイズ、データの縦横座標における任意の場所での色など、画像情報を画像毎に数字化する。
ニ）ハ）数字化したデータをプレイヤーのキャラクター情報として保存する。
ホ）ニ）で保存した情報をプレイヤーがゲームで使用するキャラクターの設定に利用する。
以上のように設定する。
【０００５】
【発明の実施の形態】
次に本発明の実施の形態を述べる。
本発明を利用できるゲーム端末（３）は、Ｉ−ｍｏｄｅ、ＥＺウェブ、Ｊスカイウェブなどインターネット対応の携帯電話とプレイステーション、Ｘ−ＢＯＸ、ゲームキューブ、ゲームボーイなど家庭用ゲーム機、パソコン、ＰＤＡなどインターネット対応の機器となる。また、カメラ付携帯電話で送信できる画像形式（フォーマット）は、ＪＰＥＧ、ＧＩＦ、ＰＮＧ等、通信事業者やメーカにより異なるが、原則は全てに対応するものとする。
以下に、本発明をプレイヤーが利用する流れを記す。
▲１▼  本発明に対応したゲーム端末（３）にプレイヤーが使用するキャラクターの体力、すばやさ、魔力、容姿などのステータスを設定する部分で、カメラ付携帯電話によるキャラクター設定が可能であることをプレイヤーに知らせる。
▲２▼  プレイヤーは、自身のカメラ付携帯電話（２）で撮影した任意の画像を▲１▼のゲームで指定されたアドレスに対し、インターネット経由で送信する。
▲３▼  本発明により保存された画像の情報を基に、ゲーム用に設定した画像変換サーバー（１）でプレイヤーが使用するキャラクターの体力、すばやさ、魔力、容姿などのステータスが設定される。
▲４▼  プレイヤーは、ゲーム端末（３）からインターネット経由でゲーム用に設定した画像変換サーバー（１）にアクセスし、本発明により設定されたキャラクターを利用しゲームをする。
【０００６】
【発明の効果】
これにより、プレイヤーは身近になったカメラ付携帯電話の画像とゲームのキャラクターを連動させることができる。また、ゲームメーカーは、今まで以上に多様な設定を自動化することが可能となり、ロールプレイングゲームや育成ゲーム、対戦ゲームなどの面白さを向上させること可能となる。
【図面の簡単な説明】
【図１】本発明の斜視図
【図面２】本発明の使用斜視図
【図３】本発明の他の実施例の斜視図
【符号の説明】
１  ゲーム用に設定した画像変換サーバー
２  カメラ付携帯電話
３  ゲーム端末
【図１】
2004351180.tif 000003
【手続補正書】
【提出日】平成15年7月31日(2003.7.31)
【手続補正１】
【補正対象書類名】明細書
【補正対象項目名】図面の簡単な説明
【補正方法】変更
【補正の内容】
【図面の簡単な説明】
【図１】本発明の斜視図
【符号の説明】
１  ゲーム用に設定した画像変換サーバー
２  カメラ付携帯電話
３  ゲーム端末
(57)【要約】      （修正有）【課題】従来のかんや灸のように痛みや熱さが無く、かんや灸と同様の効果が得られる健康用品を提供する。【解決手段】厚めの金箔（歯科用の厚さ１０ミクロン程度の金箔）を小さい孔の開いた通気性の良い医療用粘着テープ（１００ミクロン程度の厚さ）に貼りつけ、直径約６ｍｍの円形に切り抜き、それを直径１２ｍｍ程度の医療用粘着テープに貼りつけたもの。厚さ１０ミクロン程度の金箔を直径６ｍｍ程度の大きさに切抜くのは至難の技である。医療用粘着テープの使用がこの問題を解決した。さらに黒鉛、石墨片岩など遠赤外線を発する鉱物の粉末に酢酸ビニール系接着剤を混和して厚さ０．５ｍｍ程度に延ばし、これを直径３ｍｍ程度の円形に切抜く。これを上記金箔に貼りつける。尚、金箔灸の大きさは用途に応じて自由に調整可能である。【選択図】図２
2004351162.tif 000002
【特許請求の範囲】
【請求項１】
厚めの金箔を円形に切り抜き、小さい孔の開いた通気性のよい医療用粘着テープに貼り、これを鍼灸のつぼに貼りつける事を目的とする。
【請求項２】
上記金箔の表面に黒鉛や石墨片岩の粉末等遠赤外線を発する鉱物粉末を薄く延ばし円形に切抜いたものを貼りつける。
【発明の詳細な説明】
この発明は従来の鍼や灸のように痛みや熱さが無く，しかも鍼や灸と同様の効果が得られる新しい健康用品である。
最近の医学界の研究結果では鍼灸のつぼとは経絡と言う体液の交点でありつぼは体調に応じて皮膚表面の静電気の局部的変化をもたらしていると言う。
もしも電気の良導体であり且変質しない高純度金箔をつぼに貼れば，皮膚表面の局部的静電気の帯電状態を電気的平衡に移行させる働きを行う。
これにより体液の電気的平衡を保ち健康状態を良好に維持する効果がある。
従来から鍼は痛い、灸は熱いと言う欠陥があるが，この発明は従来の欠陥を取り去り、熱くない，痛くない鍼灸治療を可能にするものである。
また従来の鍼灸は治療時間が比較的短いが，金箔灸はつぼに貼り付けたまま長時間に亘り治療を続けることが出来る。通気性の良い医療用粘着テープのため皮膚のかぶれが少ない。従って金箔灸が脱落するまで１週間でも１０日間でも治療の継続が出来る。
遠赤外線は炭素や珪素などが高温，高圧の変成作用を受けた時，原子核の振動を起し，遠赤外線を発するのであり、これは現代科学で十分証明されている。この遠赤外線の存在は身体の酸化作用を抑制するマイナスイオンを発生する事も現代科学で十分証明されている事実であり、これを金箔に貼りつけることで、単なる金箔以上の効果を人体にもたらすものである。
【図面の簡単な説明】
【図  １】本発明の概略斜視図
【図  ２】本発明の概略断面図
【図１】
2004351162.tif 000003
【図２】
2004351162.tif 000004
(57)【要約】【課題】この発明は、簡便な材料を用い、容易に組み立てられ、書籍の重量に耐え自立するブックスタンドの構造に関するものである。【解決手段】１枚のボール紙に書籍の背表紙があたる背板部（２）と下端面があたるベース部（３）と、これらを支える脚部（４）、脚補助部（５）を設け、ベース部の一部に滑り止めシート（６）を貼り付ける。【選択図】  図２
2004351165.tif 000002
【特許請求の範囲】
【請求項１】
一枚のボール紙に背板部とベース部、脚部を配置し、ベース部の書籍接触面に滑り止めシートを貼り付けたブックスタンド。
【発明の詳細な説明】
【０００１】
【発明の属する技術的分野】
この発明は書籍展示用スタンドの構造に関するものである。
【０００２】
【従来の技術】
書店で書籍の表紙をお客の目に付き易くするためのスタンドは色々ある。従来は書籍の重量に耐えるために、金属、木製あるいはプラスチック板などで、堅固なものが作られていた。これらは立体形状であり輸送や保管にスペースを必要とした。
【０００３】
【発明が解決しようとする課題】
これらはつぎのような欠点があった。
スタンドが書籍の重さに耐えられないと、スタンドが倒れるか、書籍が滑り落ちて不安定なものである。そのため、堅固なものが作られていた。また、簡便に作ったスタンドの剛性を補うため、スタンドのベース部分を他の書籍の間に挟み込み、他の書籍を重石として用いている構造のものも考えられるが、スタンドの自立性がないため設置場所が限定される。
一方、書籍の滑り落ちを防止するため、ベース部に滑り止め溝を有した構造のものもあるが、その構造を成すために剛性の高い材料を用いなければならなく、かつ、溝に書籍をはめ込むのに手間が掛かり、書籍の端面を傷めやすかった。
これらの従来品は、輸送や保管するために折畳むことは不可能であった。
本発明の目的は簡便な材料を用い、組立前には平坦で、組み立てると書籍の重量に耐える構造を有するブックスタンドを提示することにある。
【０００４】
【課題を解決するための手段】
本発明は以上のような欠点を、安価な単一材料と簡便な加工技術を用い、解決するためになされたものである。
一枚のボール紙に書籍の背表紙があたる背板部（２）と、下端面があたるベース部（３）と、これらを所定の仰角で支える脚部（４）と脚部を固定するために脚補助部（５）を設ける。さらに、ベース部（３）の一部に滑り止めシート（６）を貼り付けたものである。
【０００５】
【発明の実施の形態】
１枚のボール紙（１）に、背板部（２）とベース部（３）と脚部（４）、脚補助部（５）を構成するように切れ目（９）と折り曲げ用の筋目（１０）を入れる。脚部（４）と脚補助部（５）の寸法の相関により背板部（２）の仰角が定まる。ベース部の一部に摩擦係数の大なる素材を用いた滑り止めシート（６）を貼り付ける。背板部（２）と脚部（４）には各々補強部（７）、（８）を設けてもよい。以上の部分で構成されたボール紙（１）を筋目に沿って折り曲げ組み立てると本発明品は成される。
なお、脚部と脚補助部は別途のボール紙で構成し接着しても、厚みが多少増すが、目的を達することができる。
【０００６】
【発明の効果】
簡単な構造ながら、滑り止めシート（６）を貼り付けることにより、重量のある書籍を容易に支えることができる。書籍自体の重みが滑り止めを介してスタンドの安定のための重石となる。書籍をスタンドから取り外し、再度セットするときもベース部が平板なので特別な注意がいらない。
また、組立前は平坦なボール紙なので特別な梱包を必要としない。収納時に場所を取らないことも自明である。
なお、本品は書籍に限らず写真額などのスタンドとしても応用できる。
【図面の簡単な説明】
【図１】本発明の展開図である。
【図２】本発明の正面から見た斜視図である。
【図３】本発明の背面から見た斜視図である。
【符号の説明】
１    ボール紙
２  背板部
３  ベース部
４  脚部
５  脚補助部
６  滑り止めシート
７  補強部
８  補強部
９  切れ目
１０  筋目
【図１】
2004351165.tif 000003
【図２】
2004351165.tif 000004
【図３】
2004351165.tif 000005
(57)【要約】【課題】この発明は、主として茶碗に取り付ける事で、茶碗の中のご飯を盛りつけられる内容積を減らし、それによって少量のご飯でも、通常の量のご飯を盛りつけたと同様の見栄えを得ることができ、それによりダイエット中の精神的苦痛を和らげる効果をもたらすものである。【解決手段】本発明を使用時に、茶碗の中程で止まる程度の直径である円盤型中底（１２）を、食器として適応しうる素材で形成加工し、その周囲に弾力性素材（１３）を施すものである。【選択図】    図１
2004351168.tif 000002
【特許請求の範囲】
【請求項１】
主として茶碗に取り付ける事で、茶碗の中のご飯を盛りつけられる内容積を減らす中底である。
【請求項２】
（イ）    直径が、茶碗の最上部でなおかつ最大直径（図２の１１）より小さい大きさの中底である。（図１）
（ロ）    中底（図１）は茶碗にはめ込むと、茶碗の深さの中程で止まる程度の大きさ（図３）であり、その時の中底の下部は、ある程度の空洞（図４の１４）が確保されるものとする。
（ハ）    中底本体（１２）は耐熱性、耐水性に優れた素材で加工され、その中底本体の円形をなした周囲（１３）には耐熱性、耐水性および弾力性のある素材が付着される。
【発明の詳細な説明】
【０００１】
【発明の属する技術分野】
この発明は普段使用している茶碗に取り付けることで、茶碗内の食べ物の量を減らす事を可能にする中底に関するものである。
【０００２】
【従来の技術】
従来も食器や調理器具の中に入れる中底はあるが、蒸し器として使用する場合の物や、煮物などを調理の際の落としぶた等であり、その構造や使用目的は本発明の中底とは異質のものである。
【０００３】
【発明が解決しようとする課題】
茶碗に取り付けるための脱着式の中底であるため、茶碗そのものは今現在使用しているものをそのまま使うことができ、中底の周囲に施された弾力性を有する素材により、通常の食事動作に於いては、ぐらつく事なく安定し使用後は簡単に取り外す事ができるものである。
【０００４】
【課題を解決するための手段】
いま、その構成を説明すると、
（イ）    直径が、茶碗の最上部でなおかつ最大直径（図２の１１）より小さい大きさの中底である。（図１）
（ロ）    中底（図１）は茶碗にはめ込むと、茶碗の深さの中程で止まる程度の大きさ（図３）であり、その時の中底の下部は、ある程度の空洞（図４の１４）が確保されるものとする。
（ハ）    中底本体（１２）は耐熱性、耐水性に優れた素材で加工され、その中底本体の円形をなした周囲（１３）には耐熱性、耐水性および弾力性のある素材が付着される。
以上のように形成する。
【０００５】
【発明の実施の形態】
次に本発明の実施の形態を図を参照しながら説明すると、本発明の中底（図１）を通常使用している茶碗（１０）に水平を保った状態で落とし込む事により（図３）茶碗の中にご飯等を盛りつける量を容易に少なくすることが可能である。また前記中底（１２）の周囲に耐水性、弾力性に優れた素材を付着形成させることにより、使用時の安易な傾きや不安定さを防いでいる。
しかも使用後は簡単に取り外せ、本発明中底（図１）を形成する素材の性質上、中性洗剤を使用しての洗浄、食器洗浄乾燥機の使用にも十分耐えうるものである。
【０００６】
【発明の効果】
ダイエット目的などで食事の量を制限するため、茶碗に盛りつけるご飯の量を少なくする場合、何ら制限をしない通常時（図５）に比べて、一見して少ない量を確認出来てしまい（図６）ダイエットを敢行する本人をはじめ、共に食卓を囲む人にとっても精神的にストレスを感じるものである。しかし本発明の中底（図１）を使用することにより、少量のご飯等でも何ら制限をしない時と同程度の見栄えを演出でき（図７）精神的負担を軽くし、ダイエットの目的達成に貢献するものである。
【図面の簡単な説明】
【図１】本発明の斜視図
【図２】茶碗と最大直径部の図
【図３】本発明の使用斜視図
【図４】本発明使用時の断面図
【図５】普通量のご飯を茶碗に盛った断面図
【図６】少量のご飯を茶碗に盛った断面図
【図７】本発明使用時に少量のご飯を茶碗に盛った断面図
【符号の説明】
１０  茶碗
１１  茶碗の最大直径
１２  本発明の中底主要部
１３  本発明の中底周囲の弾力性素材部位
１４  空洞
１５  ご飯
【図１】
2004351168.tif 000003
【図２】
2004351168.tif 000004
【図３】
2004351168.tif 000005
【図４】
2004351168.tif 000006
【図５】
2004351168.tif 000007
【図６】
2004351168.tif 000008
【図７】
2004351168.tif 000009
(57)【要約】【課題】一枚の刃体と一端に固定された柄とからなり、一枚の刃体で牡蠣の殼を開き、貝肉を取り出すことが容易にできる牡蠣打ち用刃物を提供する。【解決手段】刃面３が形成された刃体１と、この刃体１の一端に固定された柄２とからなり、刃体１は、アール形に形成されるとともに、この上部には刃面３に沿う片刃４が形成されていることを特徴とする。【選択図】    図１
2004351163.tif 000002
【特許請求の範囲】
【請求項１】
刃面が形成された刃体と、この刃体の一端に固定された柄とからなり、刃体は、アール形に形成されるとともに、この上部には刃面に沿う片刃が形成されていることを特徴とする牡蠣打ち用刃物。
【発明の詳細な説明】
【０００１】
【発明の属する技術分野】
本発明は、牡蠣の剥き身作業で使用する牡蠣打ち用刃物に関する。
【０００２】
【従来の技術】
従来、牡蠣打ち用の刃物は、嘴形の一枚の刃体や形状が違う二枚の刃体を設けているものがある。前者は殼を開くのに適しており、後者は殼を開き、貝肉を取り出すのに適している。
【０００３】
【発明が解決しようとする課題】
嘴形の一枚の刃体を設けている刃物は、柄の頭部が殼に接し、貝肉を取り出しにくいという欠点があり、二枚の刃体を設けている刃物は、一枚の刃体で殼を開き、別の一枚の刃体で貝肉を取り出すために手間がかかった。
【０００４】
【課題を解決するための手段】
刃面が形成された刃体と、この刃体の一端に固定された柄とからなり、刃体は、アール形に形成されるとともに、この上部には刃面に沿う片刃が形成されていることを特徴とする。
【０００５】
【発明の実施形態】
刃体１に刃面３を形成、この刃体１の一端に柄２を固定、刃体１はアール形に形成、上部には刃面３に沿う片刃４を形成する。
本発明を使用するときは、アール形に形成された刃面３に沿う片刃４で牡蠣の殼の腹の一部を欠き、腹の入り口に刺し込み貝柱を切り、貝肉を取り出す。
【０００６】
【発明の効果】
本発明は、柄の頭部が殼に接することなく、別々の刃体を使用することもなく、一枚の刃体で牡蠣の殼の腹の一部を欠き、貝柱を切り貝肉を取り出すとが容易にできる。
【図面の簡単な説明】
【図１】本発明の斜視図である。
【図２】本発明の刃体の拡大図である。
【図３】本発明の正面図である。
【図４】従来の刃物の概観図である。
【図５】従来の刃物の概観図である。
【符号の説明】
１  刃体
２  柄
３  刃面
４  片刃
【図１】
2004351163.tif 000003
【図２】
2004351163.tif 000004
【図３】
2004351163.tif 000005
【図４】
2004351163.tif 000006
【図５】
2004351163.tif 000007
(57)【要約】【目的】小形ゲーム器でゲームを楽しむ時にその子供達が，自発的に自分の眼の視力を，保護する事の出来る小形ゲーム器と合体した，遠近感知温熱センサー。【構成】小形ゲーム器１の下部に個着させる為の遠近感知温熱センサーの本体１０を作る。その時に小形ゲーム器１のスイツチ１１に，遠近感知温熱センサーの本体１０のスイツチ１２が覆い重なる様にしてあり又小形ゲーム器１の下部に遠近感知温熱センサー１０の本体と又覆い重ねた，双方のスイツチと共に小形ゲーム器の，下部に接着剤で個着，合体させた構造の，遠近感知温熱センサー。【選択図】  図１
2004351166.tif 000002
【特許請求の範囲】
【請求項１】
小形ゲーム器１の下部に個着させる為の遠近感知温熱センサーの本体１０を作る。その時に小形ゲーム器１のスイツチ１１に，遠近感知温熱センサーの本体１０のスイツチ１２が覆い重なる様にしてあり又小形ゲーム器１の下部に遠近感知温熱センサー１０の本体と又覆い重ねた，双方のスイツチと共に小形ゲーム器の，下部に接着剤で個着，合体させた構造の，遠近感知温熱センサー。
【発明の詳細な説明】
【０００１】
【発明の属する技術】
小形ゲーム器でゲームを楽しむ子供達の視力を保護するのが目的の，小形ゲーム器用の。  遠近感知温熱センサーである。
【０００２】
【従来の技術】
従来より小形ゲーム器には眼の視力に優しい液晶画面にしてあるが，それだけでは不充分であつて，又遠近感知温熱センサー  は付いてはいない，又子供達はゲームに夢中になると，つい画面に接近し過ぎてしまう其の為に親達は眼の視力に悪影響ないかと，心配でならないのが実情である。
【０００３】
【発明が解決しようとする課題】
小形ゲーム器のゲームを楽しむ子供達を安心して親達が見過せるとは，思えず又無理な事だと思う，問題点がある。
【０００４】
【問題を解決する為の手段】
そこで本発明は前記の課題に鑑み創出された，ものであつて小形ゲーム器１の下部に本発明の遠近感知温熱センサー本体の１０と接着剤で合体個着させて，設定した以上に顔が近ずくと注意ランプの１４の点灯と注意音の出るスピーカ１５で注意を促すので，ゲームを楽しむ子供達も又親達も安心して楽しく，暮せる。
【０００５】
【実施例】
本発明の遠近感知温熱センサー本体の１０のスイツチは，市販の小形ゲーム器１のスイツチ１１を覆い重なる様に作つてあるので市販の小形ゲーム器１のスイツチ１１と遠近感知温熱センサーの双方を接着剤で個着，合体さすのでゲーム時に，設定以上に顔が接近した時には注意ランプの１４の点灯と，注意音の出る１５のスピーカーに依り注意を促すから眼の視力の保護には大変都合が良い，尚小形ゲーム器を製作当初から，本発明の遠近感知の温熱センサーを内蔵すれば，これは本発明の遠近感知温熱センサーの本体１０と市販の小形ゲーム器１と合体させた物と，まつたく，変わりはなく，同じ効果を持つ，小形ゲーム器である。
【０００６】
【発明の効果】
小形ゲーム器を楽しむ子供達は親達に近すぎて眼に悪いとか色々と注意される事もなく，楽しくゲームを楽しむ事が出来るので，心身共に，健康になり大変，良い効果がある。
【０００７】
【図面の簡単な説明】
【図１】小形ゲーム器と遠近感知温熱センサーの合体正面，一部断面図
【図２】小形ゲーム器と遠近感知温熱センサーの合体上面斜視図
【符号の説明】
１    小形ゲーム器
２    小形ゲーム器の映像画面
３    小形ゲーム器の右側操作ボタン
４    小形ゲーム器の左側操作ボタン
５    小形ゲーム器のカセツト差し込み穴
６    小形ゲーム器の通信ケーブル差し込み穴
７    小形ゲーム器のイヤホーン差し込み菅穴
８    小形ゲーム器の画像スピーカー
９    小形ゲーム器の音量調節ノブ
１０    遠近感知温熱センサーの本体
１１    小形ゲーム器のスイツチ
１２    遠近感知温熱センサーのスイツチ
１３    遠近感知温熱センサーの温熱感知板
１４    遠近感知温熱センサーの接近注意用ランプ
１５    遠近感知温熱センサーの接近注意用スピーカ
【図１】
2004351166.tif 000003
【図２】
2004351166.tif 000004
(57)【要約】      （修正有）【課題】腰痛の治癒に使用するコルセットを提供する。【解決手段】コルセットを上下Ａ，Ｂに分け手、その間に空気で伸び縮みするエアー・クッションＣまたは体温に反応する形状記憶合金のスプリングを取り付け、上下に押し広げる機能を採用して、常時着用したままで胸椎と腰椎との間の歪んだ椎間板を、ごく自然に柔らかに引き伸ばす。【選択図】図４
2004351167.tif 000002
【特許請求の範囲】
【請求項１】
コルセットを上下に分けて、その間に空気圧で伸び縮みするエアー・クッションを取り付け、上下を押し広げられる様にしたコルセット。
【請求項２】
コルセットを上下に分けて、その間に体温に反応する形状記憶合金のスプリングを取り付け、上下を押し広げられる様にしたコルセット。
【発明の詳細な説明】
【０００１】
【発明の属する技術分野】
この発明は、コルセットを胸椎に作用する部分（Ａ）と腰椎に作用する部分（Ｂ）の様に上下に分けて、その間に適宜伸び縮みする仕組み、例えばエアー・クッション（Ｃ）を取り付けたコルセットである。
【０００２】
【従来の技術】
コルセットは、腰痛を軽減するための装具として使用されているが、症状を固定するサポートを主としているので、治癒を目的にしていない。
【０００３】
【発明が解決しようとする課題】
腰痛に悩まされている人は多い、人類が二本足歩行に進化して、腰部に構築上の弱点を持ったのが原因だと言われて居る、図  １の様に、上体が下半身に押し付けられて、脊椎を支えている様々な筋肉が衰えた結果である。
【０００４】
【課題を対決するための手段】
腰痛の軽減策として、図  ２の様に、上体を常に持ち上げて置けば、症状は和らぐが、それでは日常生活は出来ない。そこで図  ３の様に、コルセットを胸椎に作用する部分（Ａ）と腰椎に作用する部分（Ｂ）に分けて、その間を空気圧で膨らむエアー・クッション（Ｃ）を縫製して繋ぎとめる、コルセットを装着した後で空気を送り込めば、図  ４の実施図の様に、上体を持ち上げる力が働き腰痛の軽減に役立つ。
【０００５】
【発明の実施の形態】
図  ５の様に、胸椎に作用する部分（Ａ）は肋骨にフィットする形とし、腰椎に作用する部分（Ｂ）は骨盤にフィットする形に構成し、厚手の布地を用い、肢体の流れに沿って当て布や、ボーンを挿入して縫製する、それぞれを装着するために布ファスナー（Ｄ）とかベルト（Ｅ）等を取り付ける。（Ａ）と（Ｂ）の間は、適当な間隔に二枚の布でつなぎ止めて、その中に空気を送り込むことで膨らむ、ゴム等のエアー・クッション（Ｃ）を差し込んで縫い合わせる。エアー・クッション（Ｃ）の作動状態は、図  ６の（イ）は縮んでいる状態（ロ）は空気が圧入されて伸びた状態である。空気圧を調整するためのポンプとパイプ（Ｆ）は付帯する。
上記の他、エアー・クッション（Ｃ）に代わり形状記憶合金の利用の方法もある。
【０００６】
【発明の効果】
リハビリテーションと日常生活の併行は難しい、腰痛の場合は慢性的な症状が続き、マッサージ等の理学療法が行われているが、完治することはごく少数で不快感を引きづって生活しているのが現状です。本発明のコルセットは胸椎と腰椎の歪んだ椎間板を優しく引き伸ばす効果が起こり、空気圧をコントロールする事によって快い対症度を調整でき、恒常的に着用して日常生活を営むことが出来ます。
【図面の簡単な説明】
【第一図】腰痛の原因図
【第二図】腰痛の軽減法の略図
【第三図】実施図
【第四図】実施図
【第五図】本発明のコルセットの構造図
【第六図】エアー・クッションの作動図
【図１】
2004351167.tif 000003
【図２】
2004351167.tif 000004
【図３】
2004351167.tif 000005
【図４】
2004351167.tif 000006
【図５】
2004351167.tif 000007
【図６】
2004351167.tif 000008
(57)【要約】      （修正有）【課題】雨の時、濡れた傘を電車など人が多いところに持って行かなくてはならない時、他人の衣服等を濡らさないようにする為に、その濡れた傘を素早く傘カバーで覆い、そして傘カバーを使用しない時は素早くたためるようにする。【解決手段】傘の柄の先端部ａにロール状になった撥水性の有る布ｂと、もう一端の柄の手元部分にフック状のものｃを取付け、ロール状になった撥水性のある布ｂを回転軸ｄで９０度回転させ、そのロール状の布の端ｅを引き出しフック状のものｃに掛け、その作業を傘廻りに行なう事により傘を覆えるようにした。そしてカバーを使用しない時は、フック状のものｃから布の端ｅを外す事により自動的に布が先端部ａへロール状になるようにした。【選択図】図４
2004351182.tif 000002
【特許請求の範囲】
【請求項１】
傘の柄の先端部（ａ）にロール状になった撥水性の有る布（ｂ）を、もう一端の柄の手元部分にフック状のもの（ｃ）を取り付け、ロール状になった撥水性のある布（ｂ）を回転軸（ｄ）で９０度回転させ、そのロール状布の端（ｅ）を引き出し、もう一端の柄の手元部分のフック状のもの（ｃ）に布の端（ｅ）を掛け、それを傘廻りに行なう事によって傘を覆う事の出来る傘カバー。
【請求項２】
傘カバーを使用しない時は、フック状のもの（ｃ）から布の端（ｅ）を外すと自動的に先端部（ａ）へとロール状に巻き戻る事の出来る傘カバー。
【請求項３】
傘カバーを使用しない時は、ロール状の布（ｂ）を回転軸（ｄ）で９０度回転させ、傘の柄と同一方向にし、邪魔にならない様に出来る傘カバー。
【発明の詳細な説明】
【０００１】
【発明に属する技術分野】
本発明は、傘の柄の先端部（ａ）にロール状になった撥水性の有る布（ｂ）と、もう一端の柄の手元部分にフック状のもの（ｃ）を取り付け、ロール状になった撥水性のある布（ｂ）を回転軸（ｄ）によって９０度回転させ、そのロール状の布の端（ｅ）を引き出し、もう一端の柄の手元部分のフック状のもの（ｃ）に掛け、それを傘廻りに行なう事により傘を覆い、雨の時、電車など人の多い所で衣服等に傘の濡れた面が接しないようにした。また、傘カバーを使用しない時はフック状のもの（ｃ）から布の端（ｅ）を外す事により自動的に傘の柄の先端部（ａ）にロール状になり、収納出来るものとした。
【０００２】
【従来の技術】
従来のものは、傘先端部の収納ケースから乱雑に入った円柱の布を取り出し、そのシワのついた円柱の布で傘を覆っていた。そして、収納する時も手で乱雑に、シワを付ける様な入れ方をして手間がかっていた。
【０００３】
【発明が解決しようとする課題】
・傘カバー使用時、シワ等があり見映えが悪かった。
・傘を使用している時、傘カバーが別になっていた為邪魔になっていた。
・傘カバーを収納する時、手で押し込むように行なっていた為手間がかかった。
・傘カバーが袋状であった為、袋内に水が溜まり傘かバーを乾かすのが大変だった。
【０００４】
【課題を解決する為の手段】
本発明は、傘カバーを出す時、ロール状の布を引き出し傘をカバーするので布がシワにならず見映えが良い。また、傘を使用している時傘カバーが一体となっている為傘カバーが邪魔にならない。そして収納する時も自動巻取りなので手が濡れることが無い。また、傘カバーが袋状でない為に濡れていた面が乾かしやすい。
【図面の簡単な説明】
【図１】使用していない時の傘全体斜視図である。
【図２】使用していない時の傘先端部拡大斜視図である。
【図３】使用している時の傘先端部拡大斜視図である。
【図４】使用している時の傘全体斜視図である。
【符号の説明】
（ａ）  傘の柄の先端部
（ｂ）  ロール状になった撥水性のある布
（ｃ）  フック状のもの
（ｄ）  回転軸
（ｅ）  ロール状になった布の端部
【図１】
2004351182.tif 000003
【図２】
2004351182.tif 000004
【図３】
2004351182.tif 000005
【図４】
2004351182.tif 000006